(57)【要約】【課題】病院内で使用している多数の医療用ポンプの駆動状態をモニタ上で集約して監視することが可能な医療用ポンプ監視システムを提供する。【解決手段】複数の医療用ポンプと、前記各医療用ポンプに設けられ各医療用ポンプのポンプ識別情報を発信する発信部と、前記各ベッドに取り付けられ前記発信部から発信された前記ポンプ識別情報を受信する受信部と、前記受信部のうちの何れかにおいて前記ポンプ識別情報を受信した場合に、当該ポンプ識別情報を受信した受信部が取り付けられたベッドと、当該ポンプ識別情報を発信した発信部が設けられた医療用ポンプとを関連付けする入出力制御部と、前記入出力制御部からの指示により、前記ベッドに関連付けられた前記医療用ポンプの駆動状態を、当該ベッドに関連付けて表示する表示部とを備えた医療用ポンプ管理システムである。【選択図】図１
2015188486.tif 000002
【特許請求の範囲】
【請求項１】
複数のベッドが配置された領域において複数の医療用ポンプの駆動状態を管理するための医療用ポンプ管理システムであって、
複数の医療用ポンプと、
前記各医療用ポンプに設けられ、当該各医療用ポンプのポンプ識別情報を発信する発信部と、
前記各ベッドに取り付けられ、前記発信部から発信された前記ポンプ識別情報を受信する受信部と、
前記受信部のうちの何れかにおいて前記ポンプ識別情報を受信した場合に、当該ポンプ識別情報を受信した受信部が取り付けられたベッドと、当該ポンプ識別情報を発信した発信部が設けられた医療用ポンプとを関連付けする入出力制御部と、
前記入出力制御部からの指示により、前記ベッドに関連付けられた前記医療用ポンプの駆動状態を、当該ベッドに関連付けて表示する表示部とを備えた
医療用ポンプ管理システム。
【請求項２】
前記医療用ポンプは、ポンプ動作を開始させるための開始操作部を有し、
前記入出力制御部は、前記ベッドのうちの何れかに関連付けされた医療用ポンプに対してのみ、前記開始操作部の操作を有効とする
請求項１記載の医療用ポンプ管理システム。
【請求項３】
前記受信部が取り付けられた複数のベッドが配置された領域を管理領域とし、当該管理領域の入り口に前記ポンプ識別情報を受信するため入口受信部が取り付けられ、
前記入出力制御部は、前記入口受信部においてポンプ識別情報が受信されている前記医療用ポンプのうち、何れのベッドとも関連付けられていない医療用ポンプを未関連付けポンプとして認識し、当該未関連付けポンプにおける前記開始操作部の操作を無効とする
請求項２記載の医療用ポンプ管理システム。
【請求項４】
前記入出力制御部は、
前記医療用ポンプの駆動が停止状態であると判断された場合のみ、当該医療用ポンプの前記ベッドに対する関連付けを解除する
請求項１〜３の何れかに記載の医療用ポンプ管理システム。
【請求項５】
前記受信部が取り付けられた複数のベッドが配置された領域を管理領域とし、当該管理領域の入り口に前記ポンプ識別情報を受信するため入口受信部が取り付けられ、
前記入出力制御部は、前記入口受信部においてポンプ識別情報が受信されている前記医療用ポンプのうち、何れのベッドとも関連付けられていない医療用ポンプを未関連付けポンプとして前記表示部に表示させる
請求項１〜４の何れかに記載の医療用ポンプ管理システム。
【発明の詳細な説明】
【技術分野】
【０００１】
本発明は、医療用ポンプ管理システムに関し、特には病院内で用いられる複数の医療用ポンプを管理するシステムに関する。
【背景技術】
【０００２】
患者間違いによる薬液誤投与防止を図ることを目的とし、患者とシリンジポンプおよび輸液ポンプなどの医療用ポンプとを、１対１で対応させて関連付けを行う医療用ポンプシステムが提案されている。この医療用ポンプシステムは、医療用ポンプを設置するための架台に通信ユニットを設け、各医療用ポンプに外部通信手段および記憶手段を設けた構成である。このような医療用ポンプシステムでは、既に架台に設置されている第１の医療用ポンプに記憶された患者データと、架台に新たに設置する第２の医療用ポンプに記憶された患者データとを照合し、照合した患者データが一致している場合のみに、第２の医療用ポンプの設置を完了させることで、患者間違いが防止されるとしている（例えば、下記特許文献１参照）。
【先行技術文献】
【特許文献】
【０００３】
【特許文献１】特開２００８−１６７８８８号公報
【発明の概要】
【発明が解決しようとする課題】
【０００４】
ところで、医療用ポンプが用いられる病院内においては、多数の医療用ポンプが用いられているため、どの患者に用いられているどのポンプが、どのような駆動状態であるのかを、素早く効率的に検知することが困難な状況にある。また、上述した医療用ポンプシステムでは、患者と医療用ポンプとを関連付けて患者間違いを防止することはできるものの、各ベッドに関連して配置された各医療用ポンプの駆動状態を集約的に検知することが困難である。
【０００５】
そこで本発明は、病院内で使用している多数の医療用ポンプの駆動状態をモニタ上において実際の使用状態に近い状態で集約して監視することを可能とし、これによりポンプの動作異常に対する素早い対応を可能とする医療用ポンプ監視システムを提供することを目的とする。
【課題を解決するための手段】
【０００６】
複数のベッドが配置された領域において複数の医療用ポンプの駆動状態を管理するための医療用ポンプ管理システムであって、複数の医療用ポンプと、前記各医療用ポンプに設けられ当該各医療用ポンプのポンプ識別情報を発信する発信部と、前記各ベッドに取り付けられ前記発信部から発信された前記ポンプ識別情報を受信する受信部と、前記受信部のうちの何れかにおいて前記ポンプ識別情報を受信した場合に、当該ポンプ識別情報を受信した受信部が取り付けられたベッドと、当該ポンプ識別情報を発信した発信部が設けられた医療用ポンプとを関連付けする入出力制御部と、前記入出力制御部からの指示により、前記ベッドに関連付けられた前記医療用ポンプの駆動状態を、当該ベッドに関連付けて表示する表示部とを備えている。
【０００７】
このような構成の医療用ポンプ管理システムでは、各ベッドに関連付けて複数のポンプの駆動状態が表示される構成であるため、病院内で使用している多数の医療用ポンプの駆動状態をモニタ上において実際の使用状況に近い状態で集約して監視することが可能になる。
【発明の効果】
【０００８】
以上の結果、本発明によれば、病院内で使用している多数の医療用ポンプの駆動状態をモニタ上において実際の使用状態に近い状態で集約して監視することが可能であり、これにより例えば医療用ポンプの動作異常に対する迅速な対応が可能となる。
【図面の簡単な説明】
【０００９】
【図１】第１実施形態の医療用ポンプ管理システムの構成図である。
【図２】第１実施形態の医療用ポンプ管理システムにおける表示部の表示画像を示す図である。
【図３】第１実施形態の医療用ポンプ管理システムによるポンプの管理方法を説明するフローチャートである。
【図４】第２実施形態の医療用ポンプ管理システムの構成図である。
【図５】第２実施形態の医療用ポンプ管理システムにおける表示部の画面を示す図である。
【図６】第２実施形態の医療用ポンプ管理システムによるポンプの管理方法を説明するフローチャートである。
【図７】第２実施形態の変形例１を示す構成図である。
【図８】第２実施形態の変形例１の表示部の画面を示す図である。
【図９】第２実施形態の変形例２を示す構成図である。
【図１０】第２実施形態の変形例２の表示部の画面を示す図である。
【発明を実施するための形態】
【００１０】
以下、本発明の医療用ポンプ管理システムに関する各実施形態を、図面に基づいて詳細に説明する。なお、各実施形態において同一の構成要素には同一の符号を付し、重複する説明は省略する。
【００１１】
≪第１実施形態の医療用ポンプ管理システムの構成≫
図１は、第１実施形態の医療用ポンプ管理システムを示す構成図である。図１に示す医療用ポンプ管理システム（以下、単に「システム」と記す）１は、複数床の医療用のベッドＢ１〜Ｂ６（以下、代表して「ベッドＢｍ」と記す）が配置された領域内において、複数の医療用ポンプＰ１，Ｐ２，…（以下、代表して「ポンプＰｎ」と記す）の駆動状態を集約して管理するために適用されるシステムである。
【００１２】
ここで、複数のベッドＢｍを備えた領域は、例えば１つの集中治療室であったり、１つの病室であったり、複数の病室を有する１つのフロアである。ここでは一例として、６つのベッドＢ１〜Ｂ６が配置された領域を管理領域とし、この管理領域内において複数のポンプＰ１，Ｐ２，…の駆動状態を管理する場合を説明する。
【００１３】
このシステム１は、複数のポンプＰｎと、これらのポンプＰｎに設けられる発信部２１と、各ベッドＢｍに取り付けられる受信部２３とを備えている。また、このシステム１は、入出力制御部３１ａと記憶部３３とを備えたサーバ３５、および表示部３７を備えている。表示部３７は例えばパーソナルコンピュータ３７ａの表示部である。これらの構成要素は、例えば管理領域内に設けられた通信網によって、ネットワーク通信可能となっている。この通信網は、例えば院内ＬＡＮ３９であり、院内ＬＡＮ３９は無線ＬＡＮであってもよいが、これに限定されるものではない。以下、各構成要素の詳細を説明する。
【００１４】
＜ポンプＰｎ＞
ポンプＰｎは、シリンジポンプおよび輸液ポンプなどの医療用ポンプ全般である。これらの各ポンプＰｎは、操作部１１を備えている。操作部１１は、例えば電源操作部１１ａ、ポンプ動作を開始させるための開始操作部１１ｂ、ポンプ動作を停止させるための停止操作部１１ｃを含む。またここでの図示は省略したが、さらに、流量／投与量の設定操作部、および表示切換操作部も含み、この操作部１１によって、ポンプ駆動部によるポンプの駆動が操作される構成となっている。
【００１５】
またポンプＰｎは、ポンプ表示部１３を備えている。ポンプ表示部１３は、例えば液晶表示パネルである。このポンプ表示部１３は、タッチパネル機能を備えていても良く、この場合、タッチパネルも操作部として用いられる。さらにポンプＰｎには、必要に応じて警報音を発生させる警報音発生部を設けてもよい。
【００１６】
以上のような各ポンプＰｎは、外部との通信手段を有して院内ＬＡＮ３９に接続され、サーバ３５内の入出力制御部３１ａによって、操作部１１の動作状態、ポンプ表示部１３への表示、さらには警報音発生部からの警報音の発生が制御される。
【００１７】
＜発信部２１＞
発信部２１は、各ポンプＰｎのそれぞれに設けられ、各ポンプＰｎの個体識別情報を無線発信するものである。この発信部２１は、近距離無線通信用の発信部であり、数ｃｍ〜数ｍの範囲での無線通信を行う。このような発信部２１は、例えばＲＦＩＤ（Radio Frequency IDentification）技術を適用したＲＦＩＤタグであり、個体識別情報が記憶され、記憶された個体識別情報を発信する。なお、この発信部２１は、自ら個体識別情報を発信するアクティブタグである。このような発信部２１は、予め各ポンプＰｎに組み込まれていてもよい。
【００１８】
なお、この発信部２１から発信される個体識別情報は、発信部２１と各ポンプＰｎとが１：１で関連付けられたポンプ識別情報となる。したがって、発信部２１から発信される個体識別情報は、各ポンプＰｎがもともと有する個体識別情報と一致していてもよいし、一致していなくてもよい。
【００１９】
また、以上のような発信部２１から発信される個体識別情報、すなわちポンプ識別情報は、発信部−ポンプ関連付け情報として、後述する記憶部３３のポンプ識別情報テーブルＴ１に予め記憶されていることとする。
【００２０】
＜受信部２３＞
受信部２３は、発信部２１から発信されたポンプ識別情報を受信するものである。各受信部２３は、発信部２１がＲＦＩＤタグであれば、この受信部２３はＲＦＩＤリーダであり、数ｃｍ〜数ｍの範囲での無線通信によって、発信部２１から発信されたポンプ識別情報を受信する。各受信部２３は、それぞれが個体識別情報を有しており、管理領域に設けられたベッドＢｍのそれぞれに対して、１：１で個別に関連付けられた状態で各ベッドＢｍに取り付けられる。したがって、受信部２３が有する個体識別情報は、ベッドＢｍと１：１で関連付けられたベッド識別情報となっており、受信部−ベッド関連付け情報として、後述する記憶部３３のベッド識別情報テーブルＴ２に記憶される。
【００２１】
以上のような各受信部２３は、院内ＬＡＮ３９に接続され、発信部２１から発信されたポンプ識別情報を受信した場合には、受信したポンプ識別情報と共に、受信部２３自身が有するベッド識別情報を入出力制御部３１ａに送信する構成となっている。
【００２２】
なお、上述した受信部−ベッド関連付け情報は、例えば、パーソナルコンピュータ３７ａからの入力操作によって、記憶部３３のベッド識別情報テーブルＴ２に記憶される。
【００２３】
＜入出力制御部３１ａ（サーバ３５）＞
入出力制御部３１ａは、このシステム１を制御するためのものであり、記憶部３３と共にサーバ３５を構成している。この入出力制御部３１ａは、各ベッドＢｍに取り付けられた受信部２３において受信されたポンプ識別情報、これを受信した受信部２３のベッド識別情報、および記憶部３３に記憶された情報に基づいて、ポンプＰｎとベッドＢｍとの関連付けを行う。
【００２４】
入出力制御部３１ａにおけるベッドＢｍとポンプＰｎとの関連付けは、次のように行われる。先ず、複数の受信部２３の何れかにおいてポンプ識別情報が受信されると、受信されたポンプ識別情報と、これを受信した受信部２３のベッド識別情報とが、院内ＬＡＮ３９を介して入出力制御部３１ａに送信される。入出力制御部３１ａにおいては、受信したポンプ識別情報と、記憶部３３におけるポンプ識別情報テーブルＴ１とに基づいて、ポンプＰｎを特定する。さらに入出力制御部３１ａにおいては、受信したベッド識別情報と、記憶部３３におけるベッド識別情報テーブルＴ２とに基づいて、ベッドＢｍを特定する。そして、特定されたポンプＰｎを、特定されたベッドＢｍに対して関連付けする。
【００２５】
図示した例においては、ベッドＢ１に対してポンプＰ２，Ｐ３，Ｐ４が近接して配置されたことにより、ベッドＢ１に取り付けられた受信部２３においてポンプＰ２，Ｐ３，Ｐ４に設けた各発信部２１から発信されたポンプ識別情報が受信される。受信された各ポンプ識別情報は、これらを受信した受信部２３のベッド識別情報と共に、院内ＬＡＮ３９を介して入出力制御部３１ａに送信される。
【００２６】
これにより、入出力制御部３１ａにおいては、受信した各ポンプ識別情報とベッド識別情報、および記憶部３３におけるポンプ識別情報テーブルＴ１およびベッド識別情報テーブルＴ２に基づき、ポンプＰ２，Ｐ３，Ｐ４を特定し、さらにベッドＢ１を特定してこれらを関連付ける。同様にして、ベッドＢ２とポンプＰ１とを関連付けする。
【００２７】
一方、ベッドＢｍのうちの何れからも、所定間隔を超えて隔てて配置されているポンプＰｎは、何れのベッドＢｍの対しても関連付けされることはない。ここで所定間隔とは、ポンプＰｎに設けた発信部２１と、ベッドＢｍに取り付けた受信部２３との通信可能距離である。
【００２８】
入出力制御部３１ａは、以上のようにして関連付けされたベッドＢｍとポンプＰｎとの関連付け情報を、記憶部３３のベッド−ポンプ関連付けテーブルＴ３に記憶させる。
【００２９】
またこの入出力制御部３１ａは、ベッドＢｍとポンプＰｎとの関連付け情報、および各ベッドＢｍに対して関連付けされたポンプＰｎの駆動状態を表示部３７に表示させる。
【００３０】
さらに入出力制御部３１ａは、院内ＬＡＮ３９を介してベッドＢｍに対して関連付けされた各ポンプＰｎ、および何れのベッドＢｍにも関連付けされていない未関連付けのポンプＰｎにおけるポンプ動作の開始制御を行う。図示した具体的においては、ベッドＢ１，Ｂ２に対して関連付けされたポンプＰ１〜Ｐ４に対してのみ、それらのポンプＰ１〜Ｐ４に設けられた開始操作部１１ｂの操作を有効とする。一方、ベッドＢ１〜Ｂ６の何れとも関連付けられていないポンプＰ５〜Ｐ７については、それらの開始操作部１１ｂの操作を無効とする。
【００３１】
＜記憶部３３（サーバ３５）＞
記憶部３３は、入出力制御部３１ａと共にサーバ３５を構成するものであり、入出力制御部３１ａを介して関連付けに関する情報、およびその他の情報を記憶する。この記憶部３３に記憶される関連付けに関する情報は、上述したポンプ識別情報テーブルＴ１、ベッド識別情報テーブルＴ２、ベッド−ポンプ関連付けテーブルＴ３等である。
【００３２】
＜表示部３７（パーソナルコンピュータ３７ａ）＞
表示部３７は、例えばパーソナルコンピュータ３７ａの表示部であり、入出力制御部３１ａからの指示により、各ベッドＢｍに対して関連付けされたポンプＰｎの駆動状態が示される。図２には、この表示部３７における表示画像の一例を示す。図２に示すように、表示部３７には、ベッドＢ１〜Ｂ６に対して、それぞれに関連付けされたポンプＰ１，Ｐ２，…の駆動状態が示される。この場合、例えば、各ベッドＢ１〜Ｂ６の表示エリアを設定する。設定した各エリアに、各ベッドＢ１〜Ｂ６に対して関連付けされたポンプＰ１，Ｐ２，…を識別するための識別情報（ここでは例えばＰ１，Ｐ２，…と表示する）と、これに続けてそれぞれのポンプＰ１，Ｐ２，…の駆動状態（例えば１時間当たりの流量）を表示する。
【００３３】
図示した例では、ベッドＢ１に対して３つのポンプＰ２，Ｐ３，Ｐ４が関連付けされており、ベッドＢ２に１つのポンプＰ１が関連付けされ、それぞれの表示部分に各ポンプＰｎの駆動状態が表示されている。
【００３４】
また、この表示部３７では、入出力制御部３１ａからの指示により、ポンプＰ１，Ｐ２，…の駆動状態を、例えば通常駆動表示、予備警告表示、および警告表示等の段階に分け、バックライトの色をそれぞれの段階に割り当てて表示してもよい。例えば、ベッドＢ１に関連付けされたポンプＰ２，Ｐ３の駆動状態が通常通りであれば、バックライトを青とした表示を行う。また、ベッドＢ１に関連付けされたポンプＰ４の駆動状態が異常であれば、バックライトを赤とした表示を行う。またベッドＢ２に関連付けされたポンプＰ１の駆動状態が、通常駆動ではなく予備警告の状態であれば、バックライトを黄色とした表示を行う。
【００３５】
以上のような表示部３７は、複数のベッドＢｍが配置された管理領域に設置されるか、または管理領域外のナースステーションに設置されるか、その両方に設置されてもよい。
【００３６】
なお、図示した例においては、ポンプＰｎの駆動状態と共に、ポンプＰｎを識別するための識別情報を表示する構成とした。しかしながら、必ずしも１つの表示画面にこれらの全てを表示する必要はない。例えば１つの画面には、ポンプＰｎの駆動状態のみをそれぞれの表示部分に表示し、駆動状態の各表示部分をクリックすることによって、その駆動状態となっている特定のポンプＰｎの識別情報や、さらに詳細なポンプ情報（投与する薬液や投与量等）が表示される構成にしてもよい。
【００３７】
＜医療用ポンプの管理方法＞
次に、以上のように構成されたシステム１において、入出力制御部３１ａによって実行される医療用ポンプの管理方法の手順を説明する。図３は、この管理方法を示すフローチャートである。以下、先の図１および図２を参照しつつ、図３のフローチャートに従って医療用ポンプの管理方法を説明する。ここでは、管理領域内における特定のベッドＢｍにおいて特定のポンプＰｎを駆動させる場合の手順を説明する。
【００３８】
［ステップＳ１０１］
まず、処理開始後のステップＳ１０１では、管理領域の何れか１つのベッドＢｍに取り付けられた受信部２３で、ポンプ識別情報が受信されたか否かを判断する。目的とするポンプＰｎが、何れのベッドＢｍに対しても所定間隔を超えて隔てられている場合には、ポンプ識別情報が受信されないため、「いいえ」と判断されステップＳ１０２に進む。一方、ポンプＰｎが、何れかのベッドＢｍに対して所定間隔以下にまで近接した場合には、ポンプＰｎのポンプ識別情報が、何れかのベッドＢｍの受信部２３で受信されるため、「はい」と判断されステップＳ１０３に進む。
【００３９】
［ステップＳ１０２］
ステップＳ１０１で「いいえ」と判断されてステップＳ１０２に進んだ場合、ステップＳ１０２では、入出力制御部３１ａは、ポンプＰｎのポンプ表示部１３に未関連付けを示すメッセージを表示させるか、またはポンプＰｎから警報音を発生させるか、またはその両方とする。そして、ステップＳ１０１で「はい」と判断されるまで、ステップＳ１０１とステップＳ１０２とを繰り返す。
【００４０】
［ステップＳ１０３］
ステップＳ１０１で「はい」と判断されてステップＳ１０３に進んだ場合、何れかのベッドＢｍの受信部２３においては、ポンプＰｎのポンプ識別情報が受信された状態となっている。このため、入出力制御部３１ａは、ポンプＰｎにおけるポンプ表示部１３に対して「ベッドＢｍと関連付けますか？」を表示させる。
【００４１】
この際、入出力制御部３１ａでは、送信されたポンプ識別情報と記憶部３３におけるポンプ識別情報テーブルＴ１とに基づいて、ポンプＰｎを特定する。また、ポンプ識別情報と共に送信されたベッド識別情報と、記憶部３３におけるベッド識別情報テーブルＴ２とに基づいて、ベッドＢｍを特定する。そして、特定された実際のポンプＰｎにおけるポンプ表示部１３に対して、特定したベッドＢｍと関連付けるか否かを判断するための判断表示として、「ベッドＢｍと関連付けますか？」の表示を行うように指示する。
【００４２】
このような判断表示で示されたベッドＢｍが、目的とするベッドＢｍと一致している場合には、実際のポンプＰｎ上の操作部１１において「はい」の選択がなされる。
【００４３】
［ステップＳ１０４］
ステップＳ１０４では、先のステップＳ１０３においてのポンプ表示部の「ベッドＢｍと関連付けますか？」の問いに対して、実際のポンプＰｎ上において「はい」を選択したか否かを判断する。「はい」を選択したと判断された場合にはステップＳ１０５に進む。「はい」を選択したと判断されない場合には、１０１に戻り、ステップＳ１０４で「はい」と判断されるまで、ステップＳ１０１〜ステップＳ１０４を繰り返す。
【００４４】
この間、ポンプＰｎのポンプ識別情報が、目的とするベッドＢｍの受信部２３で受信されるまでポンプＰｎの移動を繰り返す。これにより、ポンプＰｎが確実に目的とするベッドＢｍに対して関連付けられるようにする。
【００４５】
［ステップＳ１０５］
ステップＳ１０５では、先のステップＳ１０４において「はい」と判断された場合に、入出力制御部３１ａが、ポンプＰｎをベッドＢｍの関連付けポンプとして認識し、記憶部３３のベッド−ポンプ関連付けテーブルＴ３に記憶させる。
【００４６】
［ステップＳ１０６］
ステップＳ１０６において、入出力制御部３１ａは、ポンプＰｎの開始操作部１１ｂの操作を有効にする。このような入出力制御部３１ａによるポンプＰｎの制御により、ポンプＰｎにおけるポンプ動作を開始することが可能になり、所定の手順によりポンプＰｎを駆動させる。
【００４７】
［ステップＳ１０７］
ステップＳ１０７において、入出力制御部３１ａは、ポンプＰｎをベッドＢｍと関連付けた状態でポンプＰｎの駆動状態をパーソナルコンピュータ３７ａの表示部３７に表示させる。表示部３７に対する表示は、先に図２を用いて説明した通りである。
【００４８】
［ステップＳ１０８］
ステップＳ１０８において、入出力制御部３１ａは、ポンプＰｎ上においてベッドＢｍとの関連付け解除したか否かを判断する。解除した「はい」と判断されるまで、ステップＳ１０８を繰り返す。解除した「はい」と判断された場合に、次のステップＳ１０９に進む。
【００４９】
すなわち実際のポンプＰｎ上においては、ポンプＰｎの駆動を終了させようとする場合、実際のポンプＰｎ上における操作部１１で、ベッドＢｍとの関連付けを解除する操作を行う。入出力制御部３１ａでは、このような実際のポンプＰｎ上におけるベッドＢｍとの関連付けの解除を検知する。
【００５０】
［ステップＳ１０９］
ステップＳ１０９においては、先のステップＳ１０８で実際のポンプＰｎ上においてベッドＢｍとの関連付けが解除されたと判断した場合に、ポンプＰｎが停止状態にあるか否かを判断する。停止状態にない「いいえ」と判断された場合には、ステップＳ１１０に進む。一方、停止状態にある「はい」と判断された場合には、ステップＳ１１１に進む。
【００５１】
［ステップＳ１１０］
ステップＳ１１０では、先のステップＳ１０９においてポンプＰｎが停止状態にはない「いいえ」と判断されたため、入出力制御部３１ａは、実際のポンプＰｎ上においてベッドＢｍとの関連付けを再開させる。以降は、ステップＳ１０８およびステップＳ１０９を繰り返し、ポンプＰｎが停止状態とならない限り、ポンプＰｎとベッドＢｍとの関連付けを解除できない構成としている。これにより、ポンプＰｎが駆動状態であるにもかかわらず、ポンプＰｎ上において関連付けが解除されることを防止し、ポンプＰｎを用いた実際の薬液投与履歴と、サーバ３５に記憶される投与記録との不整合を防止する。
【００５２】
［ステップＳ１１１］
ステップＳ１１１では、先のステップＳ１０９においてポンプＰｎが停止状態にある「はい」と判断された場合に、入出力制御部３１ａは、ポンプＰｎとベッドＢｍとの関連付けを解除する。これにより、表示部３７からポンプＰｎの表示を削除させる。また、記憶部３３のベッド−ポンプ関連付けテーブルＴ３から、ポンプＰｎとベッドＢｍとの関連付け情報を削除する。これにより、ポンプＰｎをベッドＢｍ脇から移動させることが可能になる。
【００５３】
＜第１実施形態の効果＞
以上説明したように、本第１実施形態の医療用ポンプ管理システム１によれば、複数のベッドＢｍとポンプＰｎとを個々に関連付けて各ポンプＰｎの駆動状態を表示する構成である。このため、病院内で使用している多数のポンプＰｎ駆動状態を、ベッドＢｍ毎の情報としてモニタ上で実際の使用状況に近い状態で集約して監視することが可能になる。したがって、例えばポンプＰｎの動作異常を検知した場合でも、そのポンプＰｎを使用しているベッドＢｍ、およびポンプＰｎを迅速に把握することができ、ポンプＰｎの動作異常に対する素早い対応が可能になる。
【００５４】
さらに、以上のような医療用ポンプ管理システム１は、ステップＳ１０６に示されるように、特定されたベッドＢｍに対して関連付けされたポンプＰｎに対してのみ、ポンプＰｎにおける開始操作部１１ｂの操作を有効となるように構成されている。このため、ベッドサイドに複数のポンプが配置された場合であっても、ベッドＢｍに対して関連付けされた目的のポンプＰｎを確実に作動させることができ、作動させるポンプＰｎの選択ミスを防止することができる。
【００５５】
しかも、ステップＳ１０８〜Ｓ１１０の手順を行うことにより、特定した医療用ポンプＰｎの駆動が停止状態であると判断された場合のみ、当該特定したベッドＢｍに対する関連付けが解除される構成となる。このため、ポンプＰｎが駆動状態であるにもかかわらず、ポンプＰｎ上において関連付けが解除されることを防止でき、ポンプＰｎの操作ミスを防止することも可能となる。またこれにより、ポンプＰｎを用いた実際の薬液投与履歴と、サーバ３５の記憶部３３に記憶される投与記録との不整合を防止することも可能である。
【００５６】
≪第２実施形態の医療用ポンプ管理システムの構成≫
図４は、第２実施形態の医療用ポンプ管理システムを示す構成図である。図４に示す医療用ポンプ管理システム２（以下、単に「システム２」と記す）が、第１実施形態のシステム１と異なるところは、ベッドＢｍが配置された領域を管理領域Ａとし、この管理領域Ａの入り口Ａ１に入口受信部２５を取り付けたところにある。また、入出力制御部３１ｂにおいては、入口受信部２５での受信情報をも用いてポンプ管理を行うようにした。以上のような入口受信部２５、および入出力制御部３１ｂが実行する管理手順以外の構成は、第１実施形態と同様であるので、第１実施形態と同様の構成要素には同一の符号を付している。重複する説明は省略する。
【００５７】
なお、ここで設定する管理領域Ａは、例えば１つの集中治療室であったり、１つの病室であったり、複数の病室を有する１つのフロアである。ここでは一例として、６つのベッドＢ１〜Ｂ６（代表してベッドＢｍ）が配置された領域を管理領域とし、この管理領域内においてポンプＰ１，Ｐ２，…（代表してポンプＰｎ）の駆動状態を管理する場合を説明する。
【００５８】
＜入口受信部２５＞
入口受信部２５は、発信部２１から発信されたポンプ識別情報を受信するものであり、各ベッドＢｍに設けられる受信部２３と同様のＲＦＩＤリーダであってよい。この入口受信部２５は、院内ＬＡＮ３９に接続され、管理領域Ａの入り口Ａ１または入り口Ａ１の付近において、発信部２１から発信されるポンプ識別情報が受信可能な位置に取り付けられる。なお、複数の管理領域が存在する場合、入口受信部は、１つの管理領域に対して１：１で関連付けがなされる。このような関連付けは、例えば、パーソナルコンピュータ３７ａからの入力操作によってなされ、この関連付け情報は、記憶部３３における入口受信部−管理領域関連付け情報として、領域情報テーブルＴ４に記憶される。
【００５９】
＜入出力制御部３１ｂ（サーバ３５）＞
入出力制御部３１ｂは、このシステム２を制御するためのものであり、記憶部３３と共にサーバ３５を構成する。この入出力制御部３１ｂは、第１実施形態と同様に、各ベッドＢｍに取り付けられた受信部２３において受信されたポンプ識別情報、これを受信した受信部２３のベッド識別情報、および記憶部３３に記憶された情報に基づいて、ポンプＰｎとベッドＢｍとの関連付けを行う。
【００６０】
さらに入出力制御部３１ｂは、あるポンプＰｎが管理領域Ａ内に搬入される場合、ポンプＰｎが管理領域Ａの入り口Ａ１を通過することにより、ポンプＰｎの発信部２１から発信されたポンプ識別情報が入口受信部２５において受信された場合にこれを認識する。そして、記憶部３３に記憶された領域情報テーブルＴ４、およびポンプ識別情報テーブルＴ１に基づいて、管理領域Ａに対してポンプＰｎを関連付けする。そして、管理領域Ａに対して関連付けられたポンプＰｎのポンプ識別情報を、記憶部３３における管理領域内のポンプテーブルＴ５に記憶させる。
【００６１】
またこの入出力制御部３１ｂは、第１実施形態と同様に、ベッドＢｍとポンプＰｎとの関連付け情報、および各ベッドＢｍに対して関連付けされたポンプＰｎの駆動状態を表示部３７に表示させる。またさらに、記憶部３３におけるポンプテーブルＴ５に記憶させたポンプＰｎを、管理領域Ａ内の未関連付けポンプＰｎとして表示部３７に表示させる。
【００６２】
図５に示す一例では、入出力制御部３１ｂは、表示部３７に対して、ベッドＢ１に関連付けてポンプＰ２，Ｐ３，Ｐ４の駆動状態を表示させている。またベッドＢ２に関連付けて、ポンプＰ１の駆動状態を表示させている。さらに、管理領域Ａ内に搬入されたものの、ベッドＢ１〜Ｂ６の何れにも関連付けられていない未関連付けポンプＰｎとして、ベッドＢ１〜Ｂ６の表示エリア外に、ポンプＰ５〜Ｐ７を表示させている。
【００６３】
さらに入出力制御部３１ｂは、管理領域Ａ内に搬入されているが何れのベッドＢｍに対しても関連付けされていない各ポンプＰｎに対して、それらの開始操作部１１ｂの操作を無効とする。
【００６４】
＜医療用ポンプの管理方法＞
次に、以上のように構成されたシステム２において、入出力制御部３１ｂによって実行される医療用ポンプの管理方法の手順を説明する。図６は、この管理方法を示すフローチャートである。以下、先の図４および図５を参照しつつ、図６のフローチャートに従って医療用ポンプの管理方法を説明する。
【００６５】
［ステップＳ２０１］
まず、処理開始後のステップＳ２０１では、管理領域Ａの入口受信部２５で、ポンプ識別情報が受信されたか否かを判断する。ここでは、管理領域Ａ内にポンプＰｎを搬入した場合には、ポンプＰｎのポンプ識別情報が入口受信部２５で受信されるため、「はい」と判断されてステップＳ２０２に進む。それ以外は「いいえ」と判断されてステップＳ２０１を繰り返し、管理領域Ａ内へのポンプＰｎの搬入を検知する。
【００６６】
［ステップＳ２０２］
ステップＳ２０２では、入出力制御部３１ｂは、受信されたポンプ識別情報を、記憶部３３における管理領域Ａ内のポンプテーブルＴ５に記憶させる。
【００６７】
［ステップＳ２０３］
ステップＳ２０３では、入出力制御部３１ｂは、ポンプテーブルＴ５にポンプ識別情報を記憶させたポンプＰｎを、管理領域Ａ内の未関連付けポンプＰｎとして表示部３７に表示させる。図５に示した例では、入出力制御部３１ｂは、ベッドＢ１〜Ｂ６の表示エリア外に、未関連付けポンプＰｎとしてポンプＰ５〜Ｐ７を表示させている。
【００６８】
［ステップＳ２０４］
ステップＳ２０４では、入出力制御部３１ｂは、ポンプテーブルＴ５に記憶させたポンプＰｎにおける開始操作部１１ｂの操作を無効にする。これにより、管理領域Ａ内に複数配置されたポンプＰｎのうち、ベッドＢｍの何れにも関連付けられていない未関連付けポンプＰｎを誤って動作させることを防止できる。
【００６９】
［ステップＳ１０１〜ステップＳ１１１］
以上の後には、第１実施形態で説明したステップＳ１０１〜ステップＳ１１１（図３参照）を実行し、ベッドＢｍに対して関連付けられたポンプＰｎを駆動させ、その駆動が完了した後には、ベッドＢｍとの関連付けが解除されたポンプＰｎを、表示部３７のベッドＢｍの表示エリアから削除し、記憶部３３におけるベッド−ポンプ関連付けテーブルＴ３から削除する。なお、ステップＳ１１１において、ベッドＢｍとの関連付けが解除されたポンプＰｎは、表示部３７において、ベッドＢｍの表示エリア外に未関連付けポンプＰｎとして表示される。
【００７０】
［ステップＳ２０５］
その後ステップＳ２０５では、ベッドＢｍに対する関連付けが解除されたポンプＰｎ、すなわち未関連付けポンプＰｎのポンプ識別情報が、入口受信部２５で受信されたか否かを判断する。ポンプＰｎが入り口Ａ１を通過していない場合には、入口受信部２５でポンプ識別情報が受信されないため、「いいえ」と判断されステップＳ２０５を繰り返す。一方、ポンプＰｎが入り口Ａを通過して管理領域Ａから搬出された場合には、入口受信部２５でポンプ識別情報が受信されるため、「はい」と判断されステップＳ２０６に進む。
【００７１】
［ステップＳ２０６］
ステップＳ２０６では、管理領域Ａから搬出されたポンプＰｎのポンプ識別情報を、記憶部３３における管理領域Ａ内のポンプテーブルＴ５から削除する。
【００７２】
［ステップＳ２０７］
ステップＳ２０７では、ポンプテーブルＴ５からポンプ識別情報が削除されたポンプＰｎの表示を、表示部３７から削除する。
【００７３】
＜第２実施形態の効果＞
以上説明したように、第２実施形態の医療用ポンプ管理システム２によれば、ステップＳ２０４により、管理領域Ａ内に搬入されたものの何れのベッドＢｍにも関連付けられていないポンプＰｎにおける開始操作部１１ｂの操作を無効としている。これにより、ベッドサイドに複数のポンプが配置された場合であっても、目的とするベッドＢｍに対して関連付けされた目的のポンプＰｎのみを確実に作動させることができ、作動させるポンプＰｎの選択ミスをさらに確実に防止することができる。
【００７４】
≪変形例１≫
図７は、第２実施形態の変形例１を示す構成図である。また図８は、第２実施形態の変形例１の表示部の画面を示す図である。これらの図に示す変形例１の医療用ポンプ管理システム２’は、表示部３７において、未関連付けポンプとして表示されているポンプＰｎの識別情報を選択してクリックした場合、その選択情報が、対応する実際のポンプＰｎのポンプ表示部１３に表示される構成となっている。このようなポンプ表示部１３の表示操作は、入出力制御部３１ｂによってなされる。
【００７５】
図示した例においては、表示部３７において、未関連付けポンプとしてポンプＰ５〜Ｐ７の識別情報（ここでは例えばＰ５，Ｐ６，Ｐ７）が表示されている。この場合において、ポンプＰ６の識別情報の表示部分を選択してクリックすることにより、実際のポンプＰ６のポンプ表示部１３に、選択されたことを示す選択情報を表示する。ポンプ表示部１３に表示される選択情報としては、「選択されました」などのメッセージであっても良く、ポンプ表示部１３の一部をカラー反転させた表示としてもよい。
【００７６】
なお、この選択情報は、ポンプＰｎのポンプ表示部１３に表示されることに限定されない。例えば、ポンプＰｎが警報音発生部を備えている場合には、選択情報は、ポンプ表示部１３に表示される代わりに、警報音発生部から警報音として発生されるようにしても良い。
【００７７】
これによりベッドサイドに複数のポンプＰｎが配置された場合に、何れのベッドＢｍに対しても関連付けされていない未関連付けポンプＰｎの内から、目的とするポンプＰｎを迅速に探し出すことが可能になる。
【００７８】
≪変形例２≫
図９は、第２実施形態の変形例２を示す構成図である。また図１０は、第２実施形態の変形例２の表示部の画面を示す図である。これらの図に示す変形例２の医療用ポンプ管理システム２”は、未関連付けポンプとして認識されているポンプＰｎに対して自動的に番号が付与され、表示部３７における未関連付けポンプの表示部分に、付与された番号が表示される構成である。また同様に、実際のポンプＰｎにおけるポンプ表示部１３にも、自動的に付与された番号が表示される。このような表示は、入出力制御部３１ｂによってなされる。
【００７９】
図示した例においては、表示部３７において、未関連付けポンプとしてポンプＰ５〜Ｐ７の識別情報（ここでは例えばＰ５，Ｐ６，Ｐ７）が表示されている。この場合において、各ポンプＰ５〜Ｐ７の表示部分に、自動的に１〜３の番号が付与されて表示される。また、実際のポンプＰ５〜Ｐ７のポンプ表示部１３にも、自動的に付与された番号１〜３が、表示される。
【００８０】
これによりベッドサイドに複数のポンプＰｎが配置された場合に、何れのベッドＢｍに対しても関連付けされていない未関連付けポンプＰｎのうちから、目的とするポンプＰｎを迅速に探し出すことが可能になる。
【００８１】
なお、本発明は上述しかつ図面に示した実施形態および変形例に限定されるものではなく、特許請求の範囲に記載した発明の要旨を逸脱しない範囲内で種々の変形実施が可能である。
【符号の説明】
【００８２】
１，２，２’，２”…医療用ポンプ管理システム、１１ｂ…開始操作部（医療用ポンプ）、２１…発信部、２３…受信部、２５…入口受信部、３１ａ，３１ｂ…入出力制御部、３７…表示部、Ａ…管理領域、Ａ１…入り口、Ｂｍ，Ｂ１〜Ｂ６…ベッド、Ｐｎ，Ｐ１，Ｐ２，……ポンプ（医療用ポンプ）
【図１】
2015188486.tif 000003
【図２】
2015188486.tif 000004
【図３】
2015188486.tif 000005
【図４】
2015188486.tif 000006
【図５】
2015188486.tif 000007
【図６】
2015188486.tif 000008
【図７】
2015188486.tif 000009
【図８】
2015188486.tif 000010
【図９】
2015188486.tif 000011
【図１０】
2015188486.tif 000012